(57)【特許請求の範囲】
【請求項１】
被写体に赤外線を照射する赤外線照射手段と、紫外線を照射する紫外線照射手段と、同被写体を撮影する撮影手段と、予め測定した赤外線画像信号と紫外線画像信号の構成比率に対応するカラーデータをマップとして記憶するルックアップテーブルとを備え、撮影して得られた赤外線画像信号と紫外線画像信号の構成比率に対応する同ルックアップテーブル内に記録されているカラーデータから色を判定することによりカラー画像信号を出力するようにしたことを特徴とする暗視カラーカメラ
【請求項２】
前記撮影手段として、前記赤外線および紫外線を照射された被写体から反射する光を集光する第１および第２のレンズと、同第１のレンズで集光した光から紫外線をカットして赤外線を通過する紫外線カットフィルタと、同第２のレンズで集光した光から赤外線をカットして紫外線を通過する赤外線カットフィルタと、同紫外線カットフィルタからの光を受光して赤外線画像信号を出力する第１のＣＣＤ素子と、同赤外線カットフィルタからの光を受光して紫外線画像信号を出力する第２のＣＣＤ素子とを備えたことを特徴する請求項１記載の暗視カラーカメラ。
【請求項３】
前記撮影手段として、前記赤外線および紫外線を照射された被写体から反射する光を集光するレンズと、同集光された光から赤外線と紫外線とを分光する分光手段と、同分光された光をそれぞれ受光する第１および第２のＣＣＤ素子とを備えたことを特徴する請求項１記載の暗視カラーカメラ。
【請求項４】
前記照射手段として、同被写体に赤外線と紫外線を順次切り換えて照射する切換照射手段と、前記撮影手段として、前記被写体から反射する光を集光するレンズと、同レンズで集光された光を受光して画像信号を出力するＣＣＤと、同ＣＣＤからの画像信号を前記切換照射手段の切り換えタイミングと同期して切り換えて出力する画像信号分離手段と、同分離された赤外線画像信号を記憶する赤外線画像信号記憶部と、紫外線画像信号を記憶する紫外線画像信号記憶部とを備えたことを特徴する請求項１記載の暗視カラーカメラ。
【請求項５】
前記分光手段が、赤外線または紫外線を反射して紫外線または赤外線を透過するダイクロイックミラーで成ることを特徴とする請求項３記載の暗視カラーカメラ。
【発明の詳細な説明】
【０００１】
【発明の属する技術分野】
本発明は、暗視カラーカメラに係わり、とくに、赤外線と紫外線を利用するものに関する。
【０００２】
【従来の技術】
従来、夜等暗い場所に設置される金庫等の被写体を、可視光を照射せずに監視する場合は、例えば被写体に赤外線を照射し、同被写体を赤外線に反応するＣＣＤカメラで成る暗視カメラで撮影して監視するようにしていた。
しかし、この暗視カメラは赤外線を照射した被写体を撮影するため、その画像はカラー画像とはならず、白黒画像であった。
このため、金庫破りの犯人の服装の色等、被写体の色を特定できないという問題があった。
【０００３】
【発明が解決しようとする課題】
本発明は以上述べた問題点を解決し、暗い場所の被写体を撮影しても、カラー画像を出力することのできる暗視カラーカメラを提供することを目的としている。
【０００４】
【課題を解決するための手段】
本発明は上述の課題を解決するため、被写体に赤外線と紫外線を照射し、同被写体を撮影して得た赤外線画像信号と紫外線画像信号から色を判定することによりカラー画像信号を出力するようにした暗視カラーカメラとしている。
【０００５】
被写体に赤外線を照射する赤外線照射手段と、紫外線を照射する紫外線照射手段と、前記赤外線および紫外線を照射された被写体から反射する光を集光する第１および第２のレンズと、同第１のレンズで集光した光から紫外線をカットして赤外線を通過する紫外線カットフィルタと、同第２のレンズで集光した光から赤外線をカットして紫外線を通過する赤外線カットフィルタと、同紫外線カットフィルタからの光を受光して赤外線画像信号を出力する第１のＣＣＤ素子と、同赤外線カットフィルタからの光を受光して紫外線画像信号を出力する第２のＣＣＤ素子と、同第１および第２のＣＣＤ素子からそれぞれ出力される赤外線画像信号および紫外線画像信号から色を判定してカラー画像信号を出力する色判定手段とで成る暗視カラーカメラとしている。
【０００６】
被写体に赤外線を照射する赤外線照射手段と、紫外線を照射する紫外線照射手段と、前記赤外線および紫外線を照射された被写体から反射する光を集光するレンズと、同集光された光から赤外線と紫外線とを分光する分光手段と、同分光された光をそれぞれ受光する第１および第２のＣＣＤ素子と、同第１および第２のＣＣＤ素子からそれぞれ出力される赤外線画像信号および紫外線画像信号から色を判定してカラー画像信号を出力する色判定手段とで成る暗視カラーカメラとしている。
【０００７】
被写体に赤外線と紫外線を順次切り換えて照射する切換照射手段と、前記被写体から反射する光を集光するレンズと、同レンズで集光された光を受光して画像信号を出力するＣＣＤと、同ＣＣＤからの画像信号を前記切換照射手段の切り換えタイミングと同期して切り換えて出力する画像信号分離手段と、同分離された赤外線画像信号を記憶する赤外線画像信号記憶部と、紫外線画像信号を記憶する紫外線画像信号記憶部と、前記赤外線画像信号記憶部および紫外線画像信号記憶部に記憶する赤外線画像信号と紫外線画像信号とから色を判定してカラー画像信号を出力する色判定手段とで成る暗視カラーカメラとしている。
【０００８】
前記色判定手段が、予め測定した赤外線画像信号と紫外線画像信号の構成比率に対応するカラーデータをマップとして記憶するルックアップテーブルとした暗視カラーカメラとしている。
【０００９】
前記分光手段が、赤外線または紫外線を反射して紫外線または赤外線を透過するダイクロイックミラーで成る暗視カラーカメラとしている。
【００１０】
【発明の実施の形態】
以上のように、本発明の暗視カラーカメラにおいては、被写体に赤外線を照射する赤外線照射手段と、紫外線を照射する紫外線照射手段と、前記赤外線および紫外線を照射された被写体から反射する光を集光する第１および第２のレンズと、同第１のレンズで集光した光から紫外線をカットして赤外線を通過する紫外線カットフィルタと、同第２のレンズで集光した光から赤外線をカットして紫外線を通過する赤外線カットフィルタと、同紫外線カットフィルタからの光を受光して赤外線画像信号を出力する第１のＣＣＤ素子と、同赤外線カットフィルタからの光を受光して紫外線画像信号を出力する第２のＣＣＤ素子と、同第１および第２のＣＣＤ素子からそれぞれ出力される赤外線画像信号および紫外線画像信号から色を判定してカラー画像信号を出力する色判定手段とで構成したので、赤外線および紫外線を照射した被写体を撮影して得た赤外線画像信号および紫外線画像信号に基づいて色判定手段が色を判定してカラー画像信号を出力することができる。
【００１１】
【実施例】
以下、図面に基づいて本発明による暗視カラーカメラを詳細に説明する。
図１は本発明による暗視カラーカメラの一実施例を示すブロック図である。
図において、１は赤外線を被写体３０に照射する赤外線照射手段、２は紫外線を照射する紫外線照射手段である。
３ａ、３ｂは第１、第２のレンズで、前記被写体３０より反射する赤外線および紫外線をそれぞれ集光する。
４ａは紫外線をカットして赤外線を透過する紫外線カットフィルタ、４ｂは赤外線をカットして紫外線を透過する赤外線カットフィルタである。
５ａ、５ｂは前記第１のレンズ３ａ、第２のレンズ３ｂおよび紫外線カットフィルタ４ａ、赤外線カットフィルタ４ｂを通過した各々の光を受光して赤外線画像信号または紫外線画像信号を出力する第１、第２のＣＣＤ素子である。
６は前記第１のＣＣＤ素子よりの赤外線画像信号と、第２のＣＣＤ素子よりの紫外線画像信号とを入力し、その比率から色を判定してカラー画像信号を出力する色判定手段である。
この色判定手段６は、予め、既知の各色に対して赤外線と紫外線とを照射して撮影して得た赤外線信号と紫外線信号との比率を測定してマップ化してＲＯＭに書き込んだルックアップテーブルである。
【００１２】
図２は本発明による暗視カラーカメラの他の実施例を示すブロック図である。
図において、図１と同一機能を同一記号で示し、その説明を省略する。
３はレンズで、前記被写体３０より反射する光（赤外線および紫外線）を集光している。
７は前記レンズ３で集光された光から赤外線と紫外線とを分光する分光手段で、例えば、紫外線を反射して赤外線を透過するダイクロイックミラーで構成している。
【００１３】
図３は本発明による暗視カラーカメラの他の実施例を示すブロック図である。
図において、図１および図２と同一機能を同一記号で示し、その説明を省略する。
５は前記レンズで集光した光（赤外線および紫外線）を受光して画像信号を出力するＣＣＤ素子である。
８は被写体３０に赤外線を照射する赤外線照射部８ａと紫外線を照射する紫外線照射部８ｂとをスイッチ８ｃで順次切り換えて照射する切換照射手段である。
９は、前記ＣＣＤ素子よりの画像信号を前記切換照射手段の切り換えタイミングと同期して切り換えて赤外線画像信号と紫外線画像信号とに分離して出力する画像信号分離手段である。
１０ａは前記画像信号分離手段で分離された赤外線画像信号を一時記憶する赤外線画像記憶部、１０ｂは同分離された紫外線画像信号を一時記憶する紫外線画像記憶部である。
【００１４】
以上の構成において、つぎにその動作を説明するがまず図１の実施例について説明する。
被写体３０に照射され反射した光（赤外線および紫外線）は第１のレンズ３ａおよび第２のレンズ３ｂに入光して集光される。
第１のレンズ３ａで集光された光の内、紫外線は紫外線カットフィルタ４ａでカットされ、赤外線が通過して第１のＣＣＤ素子５ａに入光され、同第１のＣＣＤ素子５ａにて電気信号に変換され、赤外線画像信号として出力される。
また、第２のレンズ３ｂで集光された光の内、赤外線は赤外線カットフィルタ４ａでカットされ、紫外線が通過して第２のＣＣＤ素子５ｂに入光され、同第２のＣＣＤ素子５ｂにて電気信号に変換され、紫外線画像信号として出力される。
この２つの画像信号は各々色判定手段６のアドレス端子の上位ビットおよび下位ビットに入力され、予め記憶されているマップに基づいてカラー画像信号がデータ端子より出力される。
このカラー画像信号は表示装置２０に入力され、カラー画像として表示される。
【００１５】
つぎに、図２の実施例についてその動作を説明する。
図２の実施例の場合、被写体３０に照射され反射した光（赤外線および紫外線）はレンズ３に入光して集光される。
レンズ３で集光された光は前記分光手段７により、赤外線と紫外線とに分校され、それぞれ、赤外線は第１のＣＣＤ素子５ａに、紫外線は第２のＣＣＤ素子５ｂに入光される。
前記第１のＣＣＤ素子５ａにて電気信号に変換され、赤外線画像信号として出力され、前記第２のＣＣＤ素子５ｂにて電気信号に変換され、紫外線画像信号として出力され色判定手段６に入力される。
以下の動作は図１の場合と同じであり説明を省略する。
【００１６】
つぎに、図３の実施例についてその動作を説明する。
図３の実施例の場合は、被写体３０には切換照射手段８から、赤外線と紫外線が交互に照射される。
この被写体３０から反射した光（切り換え反射する赤外線と紫外線）はレンズ３に入光して集光され、ＣＣＤ素子５に入光される。
ＣＣＤ素子５では電気信号に変換され、画像信号として出力される。
この画像信号は画像信号分離手段９にて赤外線画像信号と紫外線画像信号とに分離され、赤外線画像記憶部１０ａ、および紫外線画像記憶部１０ｂに一旦記憶される。
この赤外線画像記憶部１０ａ、および紫外線画像記憶部１０ｂに記憶された赤外線画像信号と紫外線画像信号は同時に読み出され、各々色判定手段６のアドレス端子の上位ビットおよび下位ビットに入力され、予め記憶されているマップに基づいてカラー画像信号がデータ端子より出力される。
このカラー画像信号は表示装置２０に入力され、カラー画像として表示される。
【００１７】
【発明の効果】
以上説明したように、本発明による暗視カラーカメラによれば、被写体に赤外線を照射する赤外線照射手段と、紫外線を照射する紫外線照射手段と、前記赤外線および紫外線を照射された被写体から反射する光を集光する第１および第２のレンズと、同第１のレンズで集光した光から紫外線をカットして赤外線を通過する紫外線カットフィルタと、同第２のレンズで集光した光から赤外線をカットして紫外線を通過する赤外線カットフィルタと、同紫外線カットフィルタからの光を受光して赤外線画像信号を出力する第１のＣＣＤ素子と、同赤外線カットフィルタからの光を受光して紫外線画像信号を出力する第２のＣＣＤ素子と、同第１および第２のＣＣＤ素子からそれぞれ出力される赤外線画像信号および紫外線画像信号から色を判定してカラー画像信号を出力する色判定手段とで構成したので、赤外線および紫外線を照射した被写体を撮影して得た赤外線画像信号および紫外線画像信号に基づいて色判定手段が色を判定してカラー画像信号を出力することができ、暗い場所に可視光を照射することなくカラー画像で監視することができる。
【図面の簡単な説明】
【図１】本発明による暗視カラーカメラの一実施例を示すブロック図である。
【図２】本発明による暗視カラーカメラの他の実施例を示すブロック図である。
【図３】本発明による暗視カラーカメラの他の実施例を示すブロック図である。
【図４】従来の暗視カラーカメラを示すブロック図である。
【符号の説明】
１  赤外線照射手段
２  紫外線照射手段
３、３ａ、３ｂ  レンズ
４ａ  紫外線カットフィルタ
４ｂ  赤外線カットフィルタ
５、５ａ、５ｂ  ＣＣＤ素子
６  色判定手段
７  分光手段
８  切換照射手段
８ａ  赤外線照射部
８ｂ  紫外線照射部
８ｃ  スイッチ
９  画像信号分離手段
１０ａ  赤外線画像記憶部
１０ｂ  紫外線画像記憶部
【図１】
0004193296.tif 000002
【図２】
0004193296.tif 000003
【図３】
0004193296.tif 000004
【図４】
0004193296.tif 000005